(57)【要約】【課題】  一般に被写体が中央対象で撮影されるために、あえてストロボの照射角度を狭くして光量を絞って中央により多い輝度を与えてストロボの到達距離を伸ばし、なおかつ少ない電力で効率良く撮影が可能となるために消費電流の削減も期待できるデジタルカメラを提供する。【解決手段】  ストロボ部４を有するデジタルカメラにおいて、そのストロボ部４、５３でのストロボ照射角度を変更し得る照射角度変更手段５４と、このストロボ照射角度を変更する場合の照射範囲をファインダに表示する表示変更制御手段４９、２４を備える。【選択図】        図１１
2005252615.tif 000002
【特許請求の範囲】
【請求項１】
ストロボ部を有するデジタルカメラにおいて、そのストロボ部でのストロボ照射角度を変更し得る照射角度変更手段と、このストロボ照射角度を変更する場合の照射範囲をファインダに表示する表示変更制御手段と、を備えることを特徴とするデジタルカメラ。
【請求項２】
被写体距離測定手段を有し、この被写体距離測定手段による測定距離にストロボ光が通常の使用時では到達しない場合には照射角度変更手段にてストロボ照射角度を狭くして前記ストロボ光の到達距離を延長することを特徴とする請求項１記載のデジタルカメラ。
【請求項３】
通常使用時は撮影範囲とストロボ照射角度を略一致させ、必要に応じてストロボ照射角度の変更にてストロボ光の到達距離を延長しあるいはストロボ光の到達距離を延長してストロボ照射角度の変更の可否を選択可能にすることを特徴とする請求項１または２記載のデジタルカメラ。
【発明の詳細な説明】
【技術分野】
【０００１】
本発明は、ストロボ機能を有し、そのストロボ機能実行時においては、照射角度を可変にできるデジタルカメラに関するものである。
【背景技術】
【０００２】
デジタルカメラにおいては、携帯性の必要性からその大きさに制限があり、このため電池の容量も制限を受けてしまう。結果として電池寿命の制限を受けるようになってしまう（例えば、特許文献１、２、３参照）。この電池寿命の制限は、ストロボの発光量にも制限を与え、ストロボの発光量を司るコンデンサの容量も小さいものとなる。
一方、小型化の結果としてレンズのＦ値は大きくなり、被写体輝度が低い場合はフラッシュランプ（ストロボ）を使用することになるが、ストロボの発光量が制限されている場合には光の到達距離が短くなってしまう。この場合、ストロボのガイドナンバーを大きくすれば問題は解決するが、容量の大きなコンデンサが必要となって、上記小型化に逆行し、また、充電により大きな電力を使用するために電池寿命を一層短くしてしまう。
【特許文献１】実開平６−８４４４３号公報
【特許文献２】特開２００２−１２２９１２公報
【特許文献３】特開２００１−２０３９２６公報
【発明の開示】
【発明が解決しようとする課題】
【０００３】
電池寿命を保ちつつストロボ光の到達距離を長くする提案として、特許文献１では、手動調整手段でズーミングによる実際の焦点距離に対応する撮影画角よりも照射角を狭くするという開示はあるが、その狭くなった照射角の確認手段は開示されていない。
また、特許文献２では、事前発光で照射範囲を確認する方法が提案されているが、この確認によって照射角を狭めて光量を増す技術の開示はない。更に、特許文献３では、ディジタルズーム時にズーム領域のみストロボを照射して撮影後に撮影範囲を表示している技術はあるが、撮影前にて照射範囲を確認できない。
本発明は、上述した実情を考慮して、一般に被写体が中央対象で撮影されるために、あえてストロボの照射角度を狭くして光量を絞って中央により多い輝度を与えてストロボの到達距離を伸ばし、なおかつ少ない電力で効率良く撮影が可能となるために消費電流の削減も期待でき、照射範囲の確認も可能であるデジタルカメラを提供することにある。
【課題を解決するための手段】
【０００４】
上記の課題を解決するために、請求項１に記載の発明は、ストロボ部を有するデジタルカメラにおいて、そのストロボ部でのストロボ照射角度を変更し得る照射角度変更手段と、このストロボ照射角度を変更する場合の照射範囲をファインダに表示する表示変更制御手段を備えることを特徴とする。
また、請求項２に記載の発明は、被写体距離測定手段を有し、この被写体距離測定手段による測定距離にストロボ光が通常の使用時では到達しない場合には照射角度変更手段にてストロボ照射角度を狭くして前記ストロボ光の到達距離を延長することを特徴とする。
また、請求項３に記載の発明は、通常使用時は撮影範囲とストロボ照射角度を略一致させ、必要に応じてストロボ照射角度の変更にてストロボ光の到達距離を延長しあるいはストロボ光の到達距離を延長してストロボ照射角度の変更の可否を選択可能にすることを特徴とする。
【発明の効果】
【０００５】
本発明によれば、一般に被写体が中央対象で撮影されるために、あえてストロボの照射角度を狭くして光量を絞って中央により多い輝度を与えてストロボの到達距離を伸ばし、なおかつ少ない電力で効率良く撮影が可能となるために消費電流の削減も期待でき、同時に照射範囲をファインダに表示するので事前にストロボ照射範囲を予想できる。
【発明を実施するための最良の形態】
【０００６】
以下、図面を参照して、本発明の実施の形態を詳細に説明する。図１は照射角度変更手段の一例の構成を示す概略図である。図２は図１に示す照射角度変更手段の照射角度制限時の状態を示す概略図である。
照射角度変更手段は、ストロボ反射傘３の開口に照射角度を制御する反射部材（照射角度制限手段）１を用意して、アクチュエータ（図示せず）を動作させてこの照射角度制限手段１を動かしストロボ発光管２による光の照射角度を制御する。
照射角度制限時は照射角度制限手段１で開口が絞られる（一部蓋で覆われる）が、この場合放射光量も照射角度制御手段１による反射光を加えて再放射されるので、実質的には光量が増加する。すなわち、拡散する光量が制限されるので光量が増加する。
照射角度制限手段１は、図１および図２ではストロボ反射傘３の上下に設置されているが、上下の代わりに左右に置くことにより中央部に集光も可能である。更には、上下左右に設置すれば、中央に集光も可能である。なお、図１の通常発光時、照射角度制限手段１は開放され照射角度の制限は無い。図２の照射角度制限発光時、照射角度制限手段１は照射角度を制限して光量を絞って、上述したように、照射角度制限手段１の反射により照射角度制限角度内で光量を増加させる。
図３は照射角度変更手段の他の例の構成を示す概略図である。図４は図３の照射角度変更手段について照射角度制限時の状態を示す概略図である。ここでは、ストロボ発光管２の位置を前後に移動させてストロボ照射角度を制御する。
照射角度制限時には、図４のように通常のストロボ発光管２の位置から後退させ、ストロボ発光管２を後ろに移動してストロボ反射傘３で光量を絞って結果として照射角度を狭める。すなわちストロボ発光管２をストロボ反射傘３に近づけて光量の射出角度を等価的に制限する。
また、図３の通常発光時には、ストロボ発光管２を前に出してストロボ反射傘３に回り込む光量を多くして結果として照射角度を広げる。
【０００７】
図５はストロボ部（図１１の５３参照）を示す概略ブロック回路図である。ストロボ部４は充電回路（充電用ＤＣ／ＤＣコンバータ）５、メインコンデンサ６、発光制御部７、ストロボ反射傘３およびストロボ発光管２から構成される。
メインコンデンサ６に充電回路５から高圧電圧を充電して、発光可能な電圧まで充電する。充電後に発光制御部７を経由してストロボ発光管２に上記電圧を印加させて、その後にストロボ反射傘３に超高圧電圧を印加する。超高圧電圧はストロボ発光管２に加えられてこのストロボ発光管２が励起してストロボ光が発生する。
図６は照射範囲をファインダに表示する場合のそのファインダ表示画像を示し、照射範囲が限定されない場合の実施の形態を示す概略図である。図７は照射範囲をファインダに表示する場合のそのファインダ表示画像を示し、照射範囲が限定される場合の一例を示す概略図である。図８は照射範囲をファインダに表示する場合のそのファインダ表示画像を示し、照射される範囲にて異なる表示を行う場合の実施の形態を示す概略図である。
図６ないし図８は後述のＬＣＤ表示部（図１１の５６参照）に表示を行うもので、まず、照射範囲が限定されない場合は図６のように画面表示になっていて照射範囲が限定される場合は全体画面に表示範囲を表示することになる。この表示は、距離測定、ＡＥ、フォーカス動作に基づく照射到達距離を得てその距離にあわせた照射角度を狭めるようにＬＣＤ表示部の表示変更制御をコントローラにて行う。このとき、ストロボ部での照射角度変更手段による変更動作も同時に行われる。なお、コントローラのような表示変更制御手段は、後述の図１１にて示すアクチュエータ（図１１の２４参照）でも行うことができる。
すなわち例えば、図７のように照射されない部分の表示範囲を輪郭で示す方法、図８のように照射される範囲にて異なる表示を行って表示を行う方法がある。なお、文字表示もあるが、表示範囲の表示のみで文字表示がなくても良い。
以上、照射角変更手段、ストロボ部４、ファインダ、ＬＣＤ発光部について述べてきた。これらは図１１にて全体を示すブロックにても表示され、回路の関係は図１１にて後述する。
ズームファインダ部（図１１の２２参照）については光学系レンズ部があり、そのうちズームモータ（図１１の１５参照）に機械的に連動している光学系をズームモータが動作することでこの光学系も動作して、光学式ズームファインダが構成される。
なお、この部分は専用のアクチュータ（図１１の２４参照）とそのドライバをコントローラで制御して単独動作でズームファインダを構成しても良い。照射範囲を表示する場合には、光路を制限する光路制限部とその動作を行うアクチュエータからなり、コントローラにより制御される。通常、光路制限部は光路から退避していて、制限した照射範囲を表示するときは光路内に光路制限部を挿入する。
なお、照射範囲を光学ファインダにて表示したものについては、照射範囲を限定する場合は光路途中に照射範囲を示す指示部を挿入することもできる。表示方法は図６ないし図８と同様で照射範囲が限定されない場合は図６のように表示して、照射範囲を限定する場合は図７、図８のような表示を行う指示部の挿入を行えば良い。なお、挿入あるいは非挿入はアクチュエータの動作で行なわれる。
【０００８】
図９は照射範囲を記号で表示して限定する場合のユーザの入力時の画面を示す図である。図１０は照射範囲を文字表示で表示して限定する場合のユーザの入力時の画面を示す図である。
図９では通常使用時は撮影範囲とストロボ照射角度を略一致させて必要に応じて照射範囲をファインダに表示する機能、ストロボ到達距離を延長する機能を選択可能にする。図９はこの選択の記号で表示して選択をする場合である。図１０ではこの選択を文字表示で選択している。
これは、ユーザ設定時、特に、前述の照射範囲をファインダに表示する機能およびストロボ到達距離を延長する機能を選択可能にする場合の実施の形態である。各選択はユーザが後述するシステム図に示す矢印ボタンとＯＫボタンを使用して入力し決定する。
ストロボボタンを押すと、図９の記号表示がでる。これはストロボ発光禁止の記号である。同様に、ストロボボタンを押し続けると、色々な記号が出てきて照射範囲制限記号（図９の下側の記号）が表示されたらＯＫボタンを押して選択を終了する。
ストロボボタンを押すと、図１０の記号表示がでる。これはストロボ発光禁止の表示である。同様に、ストロボボタンを押し続けると、色々な記号が出てきて照射範囲制限記号「照射範囲制限」が表示されたらＯＫボタンを押して選択を終了する。
今、後述のシステム図のモード入力手段を記号Ｃにして、カメラ撮影状態に設定してストロボモードボタンを押して、記号や文字をストロボ選択モードにして照射範囲制限モードの表示が出るまで押し続ける。その記号や反転文字を矢印ボタンで選んでＯＫボタンを押すと設定が終了する。
【０００９】
図１１はデジタルカメラの構成を説明するシステム図である。図１１においては、デジタルカメラ２９は、撮像した画像を処理するルート、表示するルート、外部との通信を行うルート、コントローラ４９を中心にして補助光ランプ、音声出力、操作部の入力、モータ制御、ストロボ部、アクチュエータ等の制御ルートが存在する。デジタルカメラ２９の撮像部分は、レンズ系１０を有し、フォーカスレンズ系１１、ズームレンズ系１２、絞り１３等を含む機械的機構を含んでいる。
この機械的機構の制御機構には、シャッタモータ２０、フォーカスモータ１４、ズームモータ１５、絞りモータ１６、シャッタモータドライバ２１、フォーカスモータドライバ１７、ズームモータドライバ１８、絞りモータドライバ１９を有し、機械的機構の後段にある画像入力回路はＴＧ（タイミング発生器）部３０にて制御される。
画像入力回路には、ＣＣＤ（電荷結合素子）３１、ＣＤＳ（相関２重サンプリング）回路３２、可変利得増幅器（ＡＧＣアンプ）３３、Ａ／Ｄ変換器３４を有し、画像処理回路としては、ＩＰＰ（画像プレープロセッサ）３５、ＤＣＴ（ディスクリートコサイントランスフォーム）３７、コーダ（ハフマンエンコーダ／デコーダ）３８、ＭＣＣ（メモリカードコントローラ）３９、ＲＡＭ（内部メモリ）３６を含み、更にカードインターフェース４０、ＰＣカード（メモリーカード等含む）４１が加わる。
【００１０】
コントローラ（ＣＰＵ）４９は、フラッシュメモリ（ＥＥＰＲＯＭ）５０、コントローラ用Ａ／Ｄ変換器５１、コントローラ用Ｄ／Ａ変換器５２、システムバスライン２８を含み、補助光ランプ駆動回路５８、補助光ランプ５７に接続される。
このコントローラ４９及びＩＰＰ３５には、ＬＣＤドライバ回路５５、ＬＣＤ表示部５６が接続され、更に通信電源アダプタ４４に接続されＰＣ（パーソナルコンピュータ）と通信可能な外部通信用ドライバ４２に接続される。
コントローラ４９は、更に、図５に記載のストロボ部４に該当するストロボ回路５３に接続されると共に、ストロボ照射角度変更手段３４に接続され、また、アクチュエータ２４に接続されている。
この他に、デジタルカメラ２９は、ＤＣ／ＤＣコンバータ４５、バッテリ４７、バッテリ４８、ＡＣアダプタ４６を含み、操作部６３、レリーズスイッチ６４、モード入力手段６５、このモード入力手段６５の記号６５ａ、６５ｂ、６５ｃ、音声アンプ部５９、マイク６０、スピーカ６１、イヤホン６２、振動モータドライバ６６、振動モータ６７、ＯＫボタン６８、ストロボボタン６９により構成されている。
レンズユニットはレンズ系１０、絞り・フィルタ部等を含む機械的機構１３からなり、機械的機構１３のメカニカルシャッタは２つのフィールドの露光を行うようになっている。
図１１では露光手段としてシャッタ機構も別に図示しているが、機械的機構１３はシャッタ機構も兼用する場合もある。レンズ系１０は例えばバリフォーカルレンズからなり、フォーカスレンズ系１１とズームレンズ系１２とで構成されている。
フォーカスモータドライバ１７はコントローラ４９から供給される制御信号にしたがって、フォーカスモータドライバ１７を駆動してフォーカスレンズ系１１を光軸方向に移動させる。
ズームモータドライバ１８はコントロ−ラ４９から供給される制御信号にしたがってズームモータ１５を駆動して、ズームレンズ系１２を光軸方向に移動させる。また、絞りモータドライバ１９はコントローラ４９から供給される制御信号にしたがって機械的機構１３を駆動し、例えば絞りの絞り値を設定する。
【００１１】
ＣＣＤ（電荷結合素子）３１はレンズユニットを介して入力した映像を電気信号（アナログ画像データ）に変換する。ＣＤＳ（相関２重サンプリング）回路３２はＣＣＤ型撮像素子に対する低雑音化のための回路である。
また、ＡＧＣアンプ３３はＣＤＳ回路３２で相関２重サンプリングされた信号のレベルを補正する。なお、ＡＧＣアンプ３３が内蔵するＤ／Ａ変換器を介して設定データ（コントロール電圧）がＡＧＣアンプ３３に設定されることにより設定される。
更にＡ／Ｄ変換器３４はＡＧＣアンプ３３を介して入力したＣＣＤ３１からのアナログ画像データをデジタル画像データに変換する。すなわち、ＣＣＤ３１の出力信号は、ＣＤＳ回路３２およびＡＧＣアンプ３３を介し、また、Ａ／Ｄ変換器３４により、最適なサンプリング周波数（例えばＮＴＳＣ信号のサブキャリア周波数の整数倍）にてデジタル信号に変換される。
また、デジタル信号処理部であるＩＰＰ（画像プレ−プロセッサ）３５、ＤＣＴ（ディスクリートコサイントランスフォーム）３７およびコーダ（ハフマンエンコーダ／デコーダ）３８は、Ａ／Ｄ変換器３４から入力したデジタル画像データについて色差（Ｃｂ、Ｃｒ）と輝度（Ｙ）に分けて各種処理、補正および画像圧縮／伸長のためのデータ処理を施す。
ＤＣＴ３７およびコーダ３８は、例えばＪＰＥＧ準拠の画像圧縮・伸長の一過程である直交変換・逆直交変換、ならびにＪＰＥＧ準拠の画像圧縮・伸長の一過程であるハフマン符号化・復号化等を行う。
また、ＩＰＰ３５はＧ画像データの輝度データ（Ｙ）を検出し、検出した輝度データ（Ｙ）に応じたＡＥ評価値をコントローラ４９に出力する。このＡＥ評価値は被写体の輝度（明るさ）を示すものである。
また、ＩＰＰ３５は設定された色温度範囲内で、Ｒ、Ｇ、Ｂ画像データの各輝度データ（Ｙ）に応じたＡＷＢ（自動ホワイトバランス）評価値を各々コントローラ４９に出力する。このＡＷＢ評価値は被写体の色成分を示すものである。
さらにＭＣＣ（メモリカードコントローラ）３９は、圧縮処理された画像をいったん蓄えてＰＣカードインターフェース４０を介してＰＣカード４１への記録、或いはＰＣカード４１からの読み出しを行う。
【００１２】
外部通信用ドライバ４２は、例えばＵＳＢ、ＩＥＥＥ１３９４等の規格の通信プロトコルにて外部のユニットと通信を行うために使用され、ＰＣ（パーソナルコンピュータ）４３等と接続してデータのやり取りを行う。或いは、カメラと接続可能な通信・電源アダプタ４４を介してＰＣ４３やＡＣアダプタ４６を接続可能にして、電力や通信のやりとりを可能にする。
ＬＣＤ表示部５６は透過型ＬＣＤからなり、画像データや操作メニュー等が表示される。補助光ランプ５７はＬＣＤ表示部５６を照明するためのバックライトであり、例えば蛍光管、あるいは白色ＬＥＤからなる。補助光ランプ駆動回路５８は、コントローラ４９の制御に基づき、補助光ランプ５７に駆動電力を出力して補助光ランプ５７を点灯させる。
ＬＣＤドライバ回路５８は、ＩＰＰ３５から入力される画像データをＬＣＤ表示部５６に表示させるための回路である。操作部６３は撮影の指示を行うためのレリーズスイッチ６４、モード入力手段６５、電源スイッチ、ＬＣＤスイッチ、補助光ランプスイッチ、機能選択およびその他の各種設定を外部から行うためのボタン等を備えている。なお、図中モード入力手段６５の６５ａ、６５ｂ、６５ｃはそれぞれ、音声記録モード、静止画記録、は動画記録を示す。
ストロボ回路５３は、図４に示す発光制御部７へのコントローラ４９からの制御信号によりストロボ光を発する。ストロボ照射角度変更手段５４は、コントローラ４９にてストロボ光を絞って到達距離を優先するモード（ストロボ到達優先モード）を検出し、距離測定あるいはフォーカス動作にて照射角度を制限する処理の結果、図１〜図４に示す照射角度変更手段にて照射角度を変更する機能を有する。同時に、コントローラ４９からの制御信号にて例えばアクチュエータ２４を動作し、ファインダにストロボ照射範囲を表示する。
【００１３】
バッテリＡ４７、バッテリＢ４８は、例えば、ニッケル水素電池、リチウムイオン電池、ニッカド（ＮｉＣｄ）電池、アルカリ電池等からなり、場合によりＡＣアダプタ４６の電源電圧が供給されることもあり、ＤＣ／ＤＣコンバータ４５を介して電源電圧をデジタルカメラ２９の内部に供給される。
ＤＣ／ＤＣコンバータ４５は、コントローラ４９の制御によって、デジタルカメラ２９の内部に出力する各種電源をオン／オフするスイッチ回路を内蔵している。
コントローラ４９はＣＰＵ、ＲＯＭ、ＲＡＭ、Ａ／Ｄ変換器、Ｄ／Ａ変換器等からなり、ＣＰＵは操作部６３からの指示または図示しないリモコン等の外部動作指示にしたがい、ＲＯＭに格納された制御プログラムにしたがってＲＡＭをワークエリアとして使用して、デジタルカメラ２９の装置全体の制御を行う。
なお、Ａ／Ｄ変換器、Ｄ／Ａ変換器は外部に用意する場合はＡ／Ｄ５１、Ｄ／Ａ５２として用意される。具体的には、コントローラ４９は撮影動作、自動露出（ＡＥ）動作、自動ホワイトバランス（ＡＷＢ）調整動作やＡＦ動作、表示等の制御を行う。
また、各種制御のための情報入力手段の１つとして内蔵のＡ／Ｄ変換器を用いてアナログ情報の把握を行う。内蔵のＡ／Ｄ変換器は基準電圧との比較で行われる。一方、アナログ出力のためにＤ／Ａ変換器を用いる。例えばＩＰＰ３５とコントローラ４９との制御、データのやりとりはシステムバスライン２８を介して行われる。
さらに、コントローラ４９は、被写体を撮像して得られる画像データをＰＣカード４１に記録する記録モードと、ＰＣカード４１に記録された画像データをＬＣＤ表示部５６に再生して表示する再生モードと、撮像したモニタリング画像をＬＣＤ表示部５６に直接表示するモニタリングモード等を備えている。
また、再生モードやモニタリングモードでＬＣＤ表示部５６に画像を表示する場合の表示モードとしては、固定モード、外光適応モードを備えており、これらのモードの選択は操作部６３で行われる。
【００１４】
図６ないし図８に関連して説明されたズームファインダ部２２について述べる。このズームファインダ部２２には光学系レンズ部２５、２６、２７があり、そのうちズームモータ１５に機械的に連動している光学系レンズ部２６をズームモータ１５が動作するとこの光学系レンズ部２６も動作して、光学式ズームファインダ２２が構成される。
なお、この部分は専用のアクチュータ２４とそのドライバをコントローラで制御して単独動作でズームファインダを構成しても良い。照射範囲を表示する場合には、光路を制限する光路制限部２３とその動作を行うアクチュエータからなり、コントローラにより制御される。通常、光路制限部２３は光路から退避していて、制限した照射範囲を表示するときは光路内に光路制限部２３を挿入する。
フラッシュメモリ５０にはデジタルカメラ２９の各種パラメータやデータが記録されている。タイミング発生器（ＴＧ）３０は、ＩＰＰ３５から入力される水平同期信号および垂直同期信号に基づいて各種タイミング信号を生成する。
音声アンプ部５９はコントローラ４９のＡ／Ｄ５１あるいはＤ／Ａ５２を介してマイク６０、スピーカ６１、イヤホン６２のアナログ信号の増幅を行う。なお、音声出力手段としてはスピーカ６１のかわりにコントローラ４９の図示しない出力よりブザーを使用する方法も可能であることは言うまでもない。
振動モータ６７は警告表示手段の１手段であり、コントローラ４９からの制御信号により振動モータドライバ６６を動作させて、この振動モータドライバ６６は振動モータ６７を駆動することにより振動により警告表示を行う。
距離情報入力手段７０はコントローラ４９で制御され、第１距離情報入力手段７０ａのようにフォーカスモータ１４の動作に連動した抵抗板によりその抵抗値の変化を電圧として取り出しコントローラ４９に接続されるＡ／Ｄ５１でＡ／Ｄ変換を行って距離情報を入手するか、あるいは外付けＡＦセンサを用いた第２距離情報入力手段７０ｂにより距離情報を入手する。
【００１５】
図１２は全体システムの動作の第１の流れを説明するフローチャートである。図１２において、事前にストロボは到達優先モードを選択した場合（Ｓ１）において、レリーズはレリーズ１、レリーズ２の２段になっていてレリーズ２ではＡＥ、フォーカス動作が行われて、レリーズ２ではシャッタ動作等撮影動作へ進む（Ｓ２）。
レリーズ１が押された場合、ＡＥ、フォーカス動作を行い（Ｓ３）、到達優先モードでは照射角度を制限して、ＬＣＤ等ファインダに照射範囲を表示して（Ｓ４）その後にレリーズ２がオンされる（Ｓ５）と撮影処理（Ｓ６）、ストロボ発光（Ｓ７）を行って撮影動作終了シーケンス（Ｓ８）を通じてエンドとなる。なお、照射角度表示はレリーズ１以前に行っても良い。
図１３は全体システムの動作の第２の流れを説明するフローチャートである。事前にストロボは到達優先モードか通常モードかを選択しておき、レリーズはレリーズ１、レリーズ２の２段になっており、レリーズ２では被写体距離測定、ＡＥ、フォーカス動作が行われて、レリーズ２ではシャッタ動作等撮影動作へ進む。
ストロボモードがオンされ（Ｓ１１）、レリーズ１が押されたら（Ｓ１２）、被写体距離測定、ＡＥ、フォーカス動作を行い（Ｓ１３）、通常モードで到達可能である場合（Ｓ１４）はストロボ通常発光モードでカメラシーケンス処理され（Ｓ１７）、到達優先モ−ド時ならば先に進む（Ｓ１５）。
到達優先モードでは照射角度制限可能な焦点距離かどうか判断して（Ｓ１６）、可能でないならばストロボ通常モードのカメラ処理へ進む（Ｓ１７）。可能ならば照射角度を制限して（Ｓ１８）、ＬＣＤ等ファインダに照射範囲を表示する（Ｓ１９）。
その後にレリーズ２がオンされると（Ｓ２０）撮影開始（Ｓ２１）、ストロボ発光（Ｓ２２）を行って撮影動作終了シーケンス（Ｓ２３）を通じてエンドとなる。なお、照射角度表示はレリーズ１以前に行っても良い。
本発明によれば、手動調整手段でズーミングによる実際の焦点距離に対応する撮影画角よりも照射角を狭くして、それを確認し、事前発光で照射範囲を確認して、照射角を狭めて光量を増すことができる。
また、事前の照射範囲を確認でき、なおかつこれが通常ではモード選択で可能であるので、ユーザの利便性と到達距離、最終的には電池寿命の両立が可能となる。
【図面の簡単な説明】
【００１６】
【図１】照射角度変更手段の第１の実施の形態の構成を示す概略図。
【図２】図１の照射角度変更手段の照射角度制限時の状態を示す概略図。
【図３】照射角度変更手段の第２の実施の形態の構成を示す概略図。
【図４】図３の照射角度変更手段の照射角度制限時の状態を示す概略図。
【図５】ストロボ部を示す概略ブロック回路図。
【図６】照射範囲をファインダに表示する、照射範囲が限定されない場合の実施の形態を示す概略図。
【図７】照射範囲をファインダに表示する、照射範囲が限定される場合の実施の形態を示す概略図。
【図８】照射範囲をファインダに表示する、照射される範囲と異なる表示を行う場合の実施の形態を示す概略図。
【図９】照射範囲を記号で表示して限定する場合のユーザの入力時の画面を示す図。
【図１０】照射範囲を文字表示で表示して限定する場合のユーザの入力時の画面を示す図。
【図１１】デジタルカメラの構成を説明するシステム図。
【図１２】全体システムの動作の第１の流れを説明するフローチャート。
【図１３】全体システムの動作の第２の流れを説明するフローチャート。
【符号の説明】
【００１７】
１３  機械的機構
２９  デジタルカメラ
４９  コントローラ
５３  ストロボ部
５４  ストロホ照射角度変更手段
５６  ＬＣＤ表示部
７０  被写体距離測定手段（距離情報入力手段）
【図１】
2005252615.tif 000003
【図２】
2005252615.tif 000004
【図３】
2005252615.tif 000005
【図４】
2005252615.tif 000006
【図５】
2005252615.tif 000007
【図６】
2005252615.tif 000008
【図７】
2005252615.tif 000009
【図８】
2005252615.tif 000010
【図９】
2005252615.tif 000011
【図１０】
2005252615.tif 000012
【図１１】
2005252615.tif 000013
【図１２】
2005252615.tif 000014
【図１３】
2005252615.tif 000015